(57)【特許請求の範囲】
【請求項１】
レーザ光発生器と、本体筐体と、操作パネルと、本体筐体内のコントローラと、酸素発生器と、減圧弁と、消音器と、本体外部の治療終端部とを備えており、前記治療終端部は酸素吐出終端部、レーザ光照射終端部を備えており、本体内の酸素発生通路には順次酸素発生器、減圧弁、内部酸素供給管路が接続されている半導体レーザ光血液酸化治療装置であって、前記レーザ光発生器は治療終端部（３４）内に配置されており、前記治療終端部（３４）はオゾン吐出終端部（４８）をさらに備えており、治療終端部および本体（３２）には接離自在なコネクタがそれぞれ設けられており、前記酸素吐出終端部は酸素吸入装置（２５）と、レーザ光・酸素一体型治療器（２７）とを備えており、レーザ光照射終端部はレーザ光・酸素一体型治療器（２７）と、鼻部クリップレーザ光治療器（２８）と、腕帯式レーザ光治療器（３０）とを備えており、
前記レーザ光・酸素一体型治療器（２７）は一体型鼻部クリップ（３１）を備えており、一体型鼻部クリップ（３１）は鼻部クリップ酸素吸入ヘッド２６または鼻部クリップレーザ光治療器（２８）に嵌入するための二つのジャケット（３３）を有しており、鼻部クリップ酸素吸入ヘッド（２６）または鼻部クリップレーザ光治療器（２８）は独立した接続ケーブルとコネクタとを各々有しており、
前記酸素吸入装置（２５）は霧化減圧装置（２４）を備えており、そして本体（３２）では、酸素吐出接続口２３に一部が取付けられている外部の霧化減圧装置（２４）を自動的に識別するための安全識別装置を備えており、
前記霧化減圧装置（２４）は、高圧酸素で薬物を微細な霧に変化させ、
前記減圧弁（２０）と加湿ボトル（９）との間にはオゾン発生室（３６）が接続されており、オゾン発生室内にはオゾンジェネレータが収容されている、ことを特徴とする半導体レーザ光血液酸化治療装置。
【請求項２】
前記酸素吐出終端部は酸素供給パイプを介して本体筐体の酸素吐出接続口（２３）に接続されているか、または加湿ボトル（９）を介して本体筐体の酸素吐出接続口（２３）に接続されている、ことを特徴とする請求項１に記載の半導体レーザ光血液酸化治療装置。
【請求項３】
前記本体筐体および制御パネル上には治療終端部に接続する複数のソケットまたは端子が設けられており、本体上のソケットまたは端子はケーブルを介して本体内のメイン制御基板（１６）上における端子に接続されている、ことを特徴とする請求項１に記載の半導体レーザ光血液酸化治療装置。
【請求項４】
前記制御パネル上にはパネルキーボード（２２）と、吐出気圧超過のインジケータランプと、酸素濃度超過のアラームランプと、流量計（５）と、流量調節つまみと、レーザ光終端部インターフェイス（８）とが設けられている、ことを特徴とする請求項１または３に記載の半導体レーザ光血液酸化治療装置。
【請求項５】
前記本体内の安全識別装置は霧化継ぎ手出口と本体に取付けられている酸素吐出接続口（２３）とを備えており、前記霧化継ぎ手吐出口（４０）には霧化減圧装置（２４）を有する酸素吸入装置が接続されており、入口には金属導電性リング（３９）を有しており、前記酸素吐出接続口（２３）上には二枚の金属導電性バネ（３８）が設けられており、二枚の金属導電性バネ（３８）およびこれに電気的に接続されている金属導電性リング（３９）は霧化押しボタン（４６）のパネルキーボード回路に直列に組み込まれて、霧化減圧装置の入力信号検知回路を形成して、外付けの霧化減圧装置（２４）の安全識別装置を構成する、ことを特徴とする請求項１に記載の半導体レーザ光血液酸化治療装置。
【請求項６】
前記霧化減圧装置（２４）はベンチュリー管であって、前記ベンチュリー管の入口および出口は酸素吸入装置の酸素供給パイプに可動的に連結されている、ことを特徴とする請求項１または５に記載の半導体レーザ光血液酸化治療装置。
【請求項７】
前記オゾンジェネレータはオゾン発生セラミック板（４３）と、オゾン発生回路モジュール（４２）とを備えており、前記オゾン発生セラミック板（４３）はオゾン発生室（３６）内に配置され、ケーブルを介してオゾン発生回路モジュール（４２）の出力端に電気的に接続されており、前記オゾン発生回路モジュール（４２）の給電端には操作パネル（４）上に取付けられているキースイッチ（４１）が直列接続されている、ことを特徴とする請求項１に記載の半導体レーザ光血液酸化治療装置。
【請求項８】
前記霧化減圧装置（２４）はパネルキーボード（２２）上にこれに対応して使用される霧化ボタンが設けられている、ことを特徴とする請求項１に記載の半導体レーザ光血液酸化治療装置。
【請求項９】
前記本体は搬送に便利な前部キャスタ（１０）と後部キャスタ（１９）とを備えている、ことを特徴とする請求項１〜３のいずれか一項に記載の半導体レーザ光血液酸化治療装置。
【請求項１０】
前記オゾン吐出終端（４８）は、いずれか一つの酸素供給パイプの出口端に設置可能なエアーストーン（４９）を備えている、ことを特徴とする請求項１に記載の半導体レーザ光血液酸化治療装置。
【発明の詳細な説明】
【技術分野】
【０００１】
本発明は医療機器に関し、具体的には家庭用の半導体レーザ光血液酸化治療装置に関する。
【背景技術】
【０００２】
レーザ光を血液に照射するとともに血液に酸素を注入することで、生物学的効果および光化学効果を発生させて疾病を治療する方法があるが、これは「フォトダイナミックセラピー」と呼ばれている。このような方法で疾病を治療する機器は以下の三種類が代表としてある。
【０００３】
特許文献１に開示されているレーザ光量子血液体外放射治療装置が代表的なものであって、この装置ではヘリウムネオンレーザ光、紫外線光を同時に患者から採血した血液に照射するとともに血液に酸素を注入した後に、放射済みの血液を患者に戻す方法を用いて、患者を治療する目的を達成している。しかし、特許文献１の治療装置では治療作用を得ることができるものの、治療過程において数回の採血または針の血管への穿刺が必要となることから、患者の血管および皮膚を傷つけることは避けられず、患者にとっても負担が大きい。同時に、数回の採血または針の血管への穿刺が必要となるため、感染を起こしやすい。
【０００４】
特許文献２に開示されている無傷レーザ光照射治療装置が代表的なものであって、波長が６３０ｎｍ〜６７０ｎｍの赤色レーザ光を患者の口腔の粘膜における血液に照射して、同時に酸素吸入を伴うことで、各種低酸素虚血性の心臓、脳、血管疾患を治療する。そして、特許文献２の発明では確かに採血を必要とせず、患者の血管および皮膚を損傷することなく、無菌室も必要とせず、施術者が操作しやすいものの、レーザ光治療装置と酸素供給装置とが分かれており、携行しにくく、空間、場所、照射位置、機能が単一であるなどの制限を受け、そして患者への使用過程において吐き気、嘔吐などの現象を引き起こしやすく、一部患者では耐えることができず治療を続けることができない。以上の二種類の方法は臨床試験での効果は優れているものの、数々の要因の制約により、現在ではほぼ淘汰されている。
【０００５】
特許文献３に開示されているレーザ光酸素装置が代表的なものであって、この発明ではレーザ光治療装置と酸素発生器とを一体化することで、上記した二種類の方法の不具合を解決し、設置空間の問題、および使用機能が単一であるという欠点をなくしている。そして、特許文献３の発明のレーザ光酸素の複合治療ヘッドは三つ叉の接続装置として設計されており、一端の一つが酸素導入口、一つがレーザ光の光ファイバの接続端子であり、他端がレーザ光・酸素一体出口であるが、これでは気密性を保証できず、しかも技術的に複雑で、使用者の長期的な利用には不利である。当該発明の酸素出入口は直接装置本体に設けられているが、この位置は酸素リッチな環境であって、細菌が繁殖しやすく、同時に本体に配置されている酸素出口は洗浄しにくいことから、細菌の不可避的な吸入が起こりやすい。当該発明のレーザ光放射では光ファイバでの導光形式を採用しているが、光ファイバは日常的な使用で損傷して光を損失しやすく、ランニングコストおよび不安定性が増大する。当該発明の付属品にはレーザ光・酸素一体型治療ヘッドがあるうえ、さらには単独の酸素パイプおよび光ファイバプローブがあり、使用者のランニングコストおよび保守の手間が増えるだけでなく、一体に固定された一体化治療ヘッドでは使用者が自由に選択することはできず、一人が同時にレーザ光照射を使用しつつ、酸素を吸入することしかできない。しかも光ファイバプローブの使用では専門の医師が、特定の環境で使用しなければならず、血管に穿刺して血液に照射しなければ治療の目的を達成できない。このような療法の不足は損傷、感染しやすく、長期継続使用に不利であるところである。この種のレーザ光酸素装置には単純な酸素発生器が持つ薬剤を放出可能な霧化装置がない。霧化装置は高圧酸素でその中の薬剤を飛散させると同時に、減圧の作用をもたらす必要があるため、酸素吐出と噴霧とを同時に一台の装置で実現しているが、そして使用者の誤操作により霧化ボタンを押したものの通常の酸素供給ヘッドに接続している場合には、高圧酸素が直接使用者の鼻腔または口腔に送り込まれてしまうという問題がある。
【先行技術文献】
【特許文献】
【０００６】
【特許文献１】中国特許出願番号９４１０７１６４.２号
【特許文献２】中国特許出願番号９６１１７０６８.９号
【特許文献３】中国特許出願番号２００４１００２１６９０.５号
【発明の概要】
【発明が解決しようとする課題】
【０００７】
本発明が解決すべき技術的課題は、上記製品の不足を解決し、高度に集約され、複数部位、多用途、複数者の使用に同時に供することができるとともに、患者による保守管理がしやすく、十分な安全性を備え、長期にわたり治療を持続するに適し、しかも患者が自宅にて使用するに適合した半導体レーザ光血液酸化治療装置を提供するところにある。
【課題を解決するための手段】
【０００８】
レーザ光発生器と、本体筐体と、操作パネルと、本体筐体内のコントローラと、酸素発生器と、減圧弁と、消音器と、本体外部の治療終端部とを備えており、前記治療終端部は酸素吐出終端部とレーザ光照射終端部とを備えており、本体内の酸素発生通路には順次酸素発生器、減圧弁、内部酸素供給管路が接続されている半導体レーザ光血液酸化治療装置であって、前記レーザ光発生器は治療終端部内に配置されているものであり、従来の半導体レーザ光血液酸化治療装置のレーザ光発生器のように本体筐体内に配置され、その後損傷しやすい光ファイバでレーザ光を導出する方式ではない。
【０００９】
前記治療終端部および本体には接離自在なコネクタがそれぞれ設けられており、通常の本体から終端部が延出している方式を変更しているものであって、前記治療終端部はさらにオゾン吐出終端部をさらに備えており、このうち酸素吐出終端部は酸素吸入装置と、レーザ光・酸素一体型治療器とを備えており、レーザ光照射終端部はレーザ光・酸素一体型治療器と、鼻部クリップレーザ光治療器と、腕帯式レーザ光治療器とを備えており、腕帯式レーザ光治療器は橈骨動脈または内手首へのレーザ光照射を行うことができる。前記レーザ光・酸素一体型治療器は一体型鼻部クリップを備えており、一体型鼻部クリップは鼻部クリップ酸素吸入ヘッドまたは鼻部クリップレーザ光治療器に嵌入するための二つのジャケットを有しており、鼻部クリップ酸素吸入ヘッドまたは鼻部クリップレーザ光治療器は独立した接続ケーブルとコネクタとを各々有しており、この一体型鼻クリップによりレーザ光、酸素が一体に固定された強制的な治療形態を根本的に変更している。
【００１０】
前記腕帯式レーザ治療器では橈骨動脈または内手首に対して、体外照射の形式を通じて治療を行うものであって、光ファイバ針を皮膚に穿刺する治療ではなく、疼痛を軽減し、相互感染のリスクを回避している。
【００１１】
前記酸素吸入装置は霧化減圧装置を備えており、霧化減圧装置は通常可動的に連結されており、霧化減圧装置を持つ酸素吸入装置は高圧酸素を送り込んで霧化作用させるとともに、霧化減圧装置に収容可能な薬剤を飛散させることになるが、霧化減圧装置を持たない酸素吸入装置は低圧酸素を吐出させることしかできない。しかしながら、使用者の誤操作により低圧の酸素吸入装置のみに切り替わったものの霧化ボタンを押下したことで、高圧酸素が直接酸素吐出口に送り込まれ、事故が発生しうるが、これを回避するために、本発明では使用者の人為的な遅延した識別方式を廃止し、そして本体では、酸素吐出接続口に一部が取付けられている外部の霧化減圧装置を自動的に識別するための安全識別装置を備えている。
【００１２】
前記減圧弁と加湿ボトルとの間にはオゾン発生室が接続されており、オゾン発生室内にはオゾンジェネレータが収容されている。
【００１３】
前記治療終端部と本体との自在な接離は、プラグ形式のコネクタを介して本体操作パネル上のソケットに連結されて実現されるか、または金属板形式のコネクタを介して本体筐体上の対応する端子に連結されて実現される。実際、日常生活中では例えば磁性吸着方式、金属クリップを使用したケーブル連結方式、またはスプリングを内蔵したカートリッジ式連結方式というように数々の導体接続方式を目の当たりにすることができる。
【００１４】
前記本体筐体および制御パネル上には治療終端部に接続する複数のソケットまたは端子が設けられており、本体上のソケットまたは端子はケーブルを介して本体内のコントローラ上における端子に接続されている。このような設計により、本製品は複数者が同時に使用することができる。
【００１５】
前記酸素吐出終端部は酸素供給パイプを介して本体筐体の酸素吐出接続口に接続されているか、または加湿ボトルを介して本体筐体の酸素吐出接続口に接続されている。
【００１６】
前記本体筐体および制御パネル上には治療終端部に接続する複数のソケットまたは端子が設けられており、本体上のソケットまたは端子はケーブルを介して本体内のメイン制御基板上における端子に接続されている。
【００１７】
前記制御パネル上にはパネルキーボードと、吐出気圧超過のインジケータランプと、酸素濃度超過のアラームランプと、流量計と、流量調節つまみと、レーザ光終端部インターフェイスとが設けられている。
【００１８】
前記本体内の安全識別装置は霧化継ぎ手出口と本体に取付けられている酸素吐出接続口とを備えており、前記霧化継ぎ手吐出口には霧化減圧装置を有する酸素吸入装置が接続されており、入口には金属導電性リングを有しており、前記酸素吐出接続口上には二枚の金属導電性バネが設けられており、二枚の金属導電性バネおよびこれに電気的に接続されている金属導電性リングは霧化押しボタンのパネルキーボード回路に直列に組み込まれて、霧化減圧装置の入力信号検知回路を形成して、外付けの霧化減圧装置の安全識別装置を構成する。
【００１９】
前記酸素マスクは、薬剤を混入する機能を兼ね備え、薬物噴霧治療が必要な呼吸器系疾患の患者に酸素噴霧治療を行うことができる霧化装置を備えている。前記霧化減圧装置はベンチュリー管であって、前記ベンチュリー管の入口および出口は酸素マスクの酸素供給パイプに可動的に連結されている。ベンチュリー管自体は薬物を収容して霧化する機能を備えており、しかも高圧気体を減圧する機能を備えている。また薬剤を混入することなく直接酸素を霧化してもよい。
【００２０】
前記オゾンジェネレータはオゾン発生セラミック板と、オゾン発生回路モジュールとを備えており、前記オゾン発生セラミック板はオゾン発生室内に配置され、ケーブルを介してオゾン発生回路モジュールの出力端に電気的に接続されており、前記オゾン発生回路モジュールの給電端には操作パネル上に取付けられるキースイッチが直列接続されており、このスイッチはオフ状態ではオゾンは吐出されず、キーは抜出することができ、このスイッチがオン状態ではオゾンが吐出し、キーは抜出することはできない。
【００２１】
前記霧化減圧装置はパネルキーボード上にこれに対応して使用される霧化ボタンが設けられている。操作パネル上の部品はいずれもコントローラに接続されて、コントローラの信号の入力または出力端とされるとともに、プログラムと対応して相応の機能を実現する。
【００２２】
前記本体は搬送に便利な前部キャスタと後部キャスタとを備えている。前記治療終端部と本体とが接離自在である特徴と本特徴とにより装置本体はより一層移動および携行しやすくなっている。
【発明の効果】
【００２３】
本発明の有益な効果は以下のとおりである。
【００２４】
１、本発明で集約式設計を採用しており、人体に直接吸入された常圧酸素および霧化され減圧されていない高圧酸素はいずれも一つの経路で吐出されるため、使用者が予期できずに高圧酸素を直接吸入することを回避するために、本発明では多重の保護措置を採用している。
第一：「酸素」吐出ボタンと「霧化」吐出ボタンとをそれぞれ独立して設けている。
第二：「霧化」コマンドを実行する前に、霧化専用の霧化継ぎ手を本体の酸素出口箇所に取付ける必要がある。導電性金属リングが嵌設されている霧化継ぎ手が本体の酸素出口に接続されると、本体の酸素出口箇所の連通していない二つの金属導電性バネが導通する。このとき霧化ボタンコマンド線が導通状態となって、ようやく「霧化」ボタンの操作が行えるようになる。本発明の酸素噴霧では本体が酸素吸入終端部の制御モードを自動的に判別するため、使用者が酸素モードを使用しているときに酸素霧化操作ボタンを不注意で押してしまい、酸素が不適となる状況が発生することを回避し、使用者が適した酸素を安全に吸入できるようにしている。
【００２５】
２、本発明におけるアウトプットには、酸素吐出、薬物を混入可能な酸素噴霧、レーザ光照射が含まれ、治療効果を倍増させる効果を達成するとともに、オゾン吐出を含むことで、加湿ボトル、供給パイプおよび酸素吸入終端部自身の消毒およびその他作用をもたらすことができる。
【００２６】
３、本発明の本体の酸素供給経路にはオゾンジェネレータを備えており、オゾンを得る複数の方法はいずれも空気中に酸素に放電することでオゾンを生成するものである。まず、空気中の酸素濃度の含有量は２１％前後であることから、この時点で放電にて発生するオゾン濃度は必然的に低めとなる。次に、空気の窒素の含有量は７８％前後であり、放電後に人体に対して発がん性のある窒素化合物が発生することから、本技術ではオゾン発生室を酸素発生装置に接続した後において、オゾン発生の酸素源は９０％以上となる高濃度酸素となることで、酸素がオゾン発生室内のオゾン発生板を通過したとき、オゾン機能が起動しているという条件にて、高濃度のオゾンを得ることができ、しかもこれにより窒素化合物が生成されてしまうリスクも回避できるものであり、そして得られたオゾンは加湿ボトル、酸素供給パイプ、および酸素吸入終端部を消毒することができ、使用者の日常生活における使用にも便利である。本発明では集約式設計を採用しているが、酸素およびオゾンはいずれもオゾン発生室を通過するため（つまりオゾン機能が起動していないとき、オゾン発生室は酸素通路のみとなる）、使用者の誤動作により起こり得るリスクを回避するために、本発明では操作パネル上に断接機能を有するキースイッチを採用しており、このスイッチはオフ状態ではオゾンは吐出されず、キーは抜出することができ、このスイッチがオン状態ではオゾンが吐出し、キーは抜出することはできない。
【００２７】
４、本発明のレーザ光照射および酸素吐出装置はあわせて使用することも、単独で使用することも可能であって、特に製造技術が簡単な一体型鼻部クリップにより、使用者は自由に分けて使用および保守しやすくなる。通常のレーザ光、酸素が一体に固定された強制的な使用形態を根本的に変更しており、酸素またはレーザ光終端部に故障が発生したときに交換使用しやすくなっている。
【００２８】
５、本発明のレーザ光発生器はレーザ光治療終端部内に配置されているものであり、通常のように本体内に配置され、通常のレーザ光発生器における本体内で出射したレーザ光を高価で損傷しやすく、光が損失する光ファイバで治療終端部に導出するというものではない。本発明の改善ではこれにより装置全体の故障率を大幅に低減している。
【００２９】
６、本発明ではインテリジェンス制御形態を採用しており、使用者が使用中に酸素供給パイプの折れ曲がり、詰まりなどが発生して出力側の気圧が超過するか、または酸素濃度が制限値を超過した場合、制御システムはアラームを発して自動的に運転を停止し、安全率を高める。同時に使用中に電源が切断されたときには各機能部材を予めオフ状態にして、通電時に予期せぬ事態が発生しないようにしている。
【００３０】
７、本発明の治療終端部および本体は便利に自由に接離できるうえ、本体は搬送に便利な前部キャスタと後部キャスタとを備えることで、装置全体はより一層移動および携行しやすくなっている。
【００３１】
８、本発明は機能を集約しているものの、小型であることから、電源がある環境でありさえすれば、使用者は時と場所とを問わず使用することができる。
【図面の簡単な説明】
【００３２】
【図１】本発明の分解構造概略図。
【図２】本発明の実施例における本体正面構造概略図。
【図３】図２におけるＡ箇所の酸素接続口の立体拡大構造概略図。
【図４】霧化継ぎ手の分解構造立体図。
【図５】霧化制御回路の原理ブロック図。
【図６】オゾンジェネレータの構造原理図。
【図７】一体型鼻部クリップの概略図。
【図８】本発明の電気および構造原理の機能ブロック図であり、図中細線は制御信号線を表し、太線は気体経路を表している。
【図９】本発明の制御部のフローチャートである。
【発明を実施するための形態】
【００３３】
まず、フォトダイナミックセラピーの基本原理を説明する。
【００３４】
レーザ光発生器には波長が６５０ｎｍである赤色レーザ光を採用しており、鼻腔、橈骨動脈または内手首といったこれらいずれも人体の皮膚組織が薄く、血管が密集し、血流が多めの部位に照射することで、血管または毛細血管内の赤血球に光エネルギーを最大限に吸収させて、赤血球の酸素運搬能力および変形を快復させ、血液流動学におけるパラメータを改善する。
【００３５】
酸素発生システムはゼオライトモレキュラーシーブを吸着剤として、オイルレス圧縮機で空気を圧縮し、変圧吸着（ＰＳＡ）技術により、空気中の窒素を吸着して、濃度が９０％以下の医療用酸素を得ている。酸素を吸入することで肺の換気機能を高めて、酸欠状況を効果的に解決し、血液の酸素含有量を改善することができ、そして両者の結合により、各種低酸素虚血性の心臓、脳、血管疾患に対して治療効果を倍増するという治療作用をもたらす。酸素霧化システムは高速酸素で薬物を微細な霧に変化させて、患者の気管、気管支および肺胞に吸入させることで、呼吸器系疾患を治療する作用をもたらす。同時に酸素噴霧吸入治療中において患者は十分な酸素を引き続き供給を受けることができるものであり、噴霧吸入は患者の呼吸気道への刺激は小さく、患者は快適である。本発明ではレーザ光照射システム、モレキュラーシーブ、酸素霧化システムを効果的に結合して治療効果を倍増させる効果を達成している。
【００３６】
同時に、本発明では高濃度酸素製のオゾンで本装置の酸素供給経路および各治療終端部を消毒すると同時に、その他用途とすることもできる。本発明の本体の酸素供給経路内にはオゾンジェネレータを備えており、オゾンを得る複数の方法はいずれも空気中に酸素に放電することでオゾンを生成するものである。まず、空気中の酸素濃度の含有量は２１％前後であることから、この時点で放電にて発生するオゾン濃度は必然的に低めとなる。次に、空気の窒素の含有量は７８％前後であり、放電後に人体に対して発がん性のある窒素化合物が発生することから、本発明ではオゾン発生室を酸素発生装置に接続した後において、オゾン発生の酸素源は９０％以上となる高濃度酸素となることで、酸素がオゾン発生室内のオゾン発生板を通過したとき、オゾン機能が起動しているという条件にて、高濃度のオゾンを得ることができ、しかもこれにより窒素化合物が生成されてしまうリスクも回避できるものであり、そして得られたオゾンは加湿ボトル、酸素供給パイプ、および酸素吸入終端部を消毒することができ、使用者の日常生活における使用にも便利である。
【００３７】
以下に実施例と図面をあわせて、具体的な実現および実施形態を説明する。
【００３８】
図１、２、８に示す半導体レーザ光血液酸化治療装置は、レーザ光発生器と、本体筐体１と、操作パネル４と、本体筐体内のメイン制御基板１６と、酸素発生器１４と、減圧弁２０と、消音器１５と、加湿ボトル９と、本体外部の治療終端部３４とを備えており、前記治療終端部は酸素吐出終端部とレーザ光照射終端部であって、本体内の酸素発生通路には順次酸素発生器１４、電磁三方向性弁、減圧弁２０、内部酸素供給管路が接続されており、前記レーザ光発生器は治療終端部３４内に配置されているが、一方従来の半導体レーザ光血液酸化治療装置のレーザ光発生器は本体筐体内に配置され、その後損傷しやすい光ファイバでレーザ光を導出する方式である。高価で損傷しやすい光ファイバがないことから、装置全体の故障率を大幅に低減している。
【００３９】
前記治療終端部３４および本体３２には接離自在なコネクタがそれぞれ設けられており、通常の本体から終端部が延出している方式を変更することで、装置全体は搬送および携行しやすくしている。このうち酸素吐出終端部は酸素吸入装置２５と、レーザ光・酸素一体型治療器２７とを備えており、レーザ光照射終端部はレーザ光・酸素一体型治療器２７と、鼻部クリップレーザ光治療器２８と、腕帯式レーザ光治療器３０とを備えている。
【００４０】
図７に示すように、前記レーザ光・酸素一体型治療器２７は一体型鼻部クリップ３１を備えており、一体型鼻部クリップ３１は鼻部クリップ酸素吸入ヘッド２６または鼻部クリップレーザ光治療器２８に嵌入するための二つのジャケット３３を有しており、鼻部クリップ酸素吸入ヘッド２６または鼻部クリップレーザ光治療器２８は独立した接続ケーブルとコネクタとを各々有している。使用者は自由に分けて使用および保守しやすい。通常のレーザ光、酸素が一体に固定された強制的な使用形態を根本的に変更しており、酸素またはレーザ光終端部に故障が発生したときに交換使用しやすくなっている。
【００４１】
図１を参照されたい。前記酸素吸入装置２５は霧化減圧装置２４を備えており、霧化減圧装置２４は酸素吸入装置に可動的に連結されており、霧化減圧装置を持つ酸素吸入装置は高圧酸素を送り込んで霧化作用させるとともに、霧化減圧装置に収容可能な薬剤を飛散させることになるが、霧化減圧装置を持たない酸素吸入装置は低圧酸素を吐出させることしかできない。しかしながら使用者の誤操作により低圧の酸素吸入装置のみに切り替わったものの霧化ボタンを押下したことで、高圧酸素が直接酸素吐出口に送り込まれることで事故が発生しうるが、これを回避するために、本発明では使用者の人為的な遅延した識別方式を廃止し、そして本体３２では、酸素吐出接続口２３に一部が取付けられている外部の霧化減圧装置２４を自動的に識別するための安全識別装置を備えている。
【００４２】
図６に示すように、前記減圧弁２０と酸素吐出接続口２３との間にはオゾン発生室３６が接続されており、オゾン発生室内にはオゾンジェネレータが収容されている。前記オゾンジェネレータはオゾン発生セラミック板４３と、オゾン発生回路モジュール４２とを備えており、前記オゾン発生セラミック板４３はオゾン発生室３６内に配置され、ケーブルを介してオゾン発生回路モジュール４２の出力端に電気的に接続されており、前記オゾン発生回路モジュール４２の給電端には操作パネル４上に取付けられ断接機能を有するキースイッチ４１が直列接続されている。このスイッチはオフ状態ではオゾンは吐出されず、キーは抜出することができ、このスイッチがオン状態ではオゾンが吐出し、キーは抜出することはできない。
【００４３】
図１、２に示すように、前記酸素吐出終端部は酸素供給パイプを介して本体筐体の酸素吐出接続口２３または加湿ボトル９の酸素吐出接続口に接続されている。もし霧化減圧装置を別途接続するのであれば加湿ボトルを経由することなく、加湿ボトルの前の酸素吐出接続口２３に直接接続することができる。
【００４４】
前記本体筐体および制御パネル上には治療終端部に接続する複数のソケットまたは端子が設けられており、本体上のソケットまたは端子はケーブルを介して本体内のメイン制御基板１６上における端子に接続されている。このような設計により、本製品は複数者が同時に使用することができる。
【００４５】
図２に示すように、前記制御パネル上にはパネルキーボード２２と、吐出気圧超過のインジケータランプと、酸素濃度超過のアラームランプと、流量計５と、流量調節つまみと、レーザ光終端部インターフェイス８とが設けられている。
【００４６】
図２、３、４、５に示すように、前記本体内の安全識別装置は霧化継ぎ手出口と本体に取付けられている酸素吐出接続口２３とを備えており、前記霧化継ぎ手吐出口４０には霧化減圧装置２４を有する酸素吸入装置が接続されており、入口には金属導電性リング３９を有しており、前記酸素吐出接続口２３上には二枚の金属導電性バネ３８が設けられており、二枚の金属導電性バネ３８およびこれに電気的に接続されている金属導電性リング３９は霧化押しボタン４６のパネルキーボード回路に直列に組み込まれて、霧化減圧装置の入力信号検知回路を形成しているので、外付けの霧化減圧装置２４の安全識別装置を構成する。
【００４７】
前記霧化減圧装置２４はベンチュリー管であって、前記ベンチュリー管の入口および出口は酸素吸入装置の酸素供給パイプに可動的に連結されている。ベンチュリー管自体は薬物を収容して霧化する機能を備えており、しかも高圧気体を減圧する機能を備えている。薬物を収容することなく吐出する酸素を直接霧化してもよい。
【００４８】
前記オゾン吐出終端部４８はエアーストーン４９を備えており、前記エアーストーンは酸素供給パイプの出口端に設けることができる。エアーストーンは大量の気流および気泡の排出を緩衝することともに、気体をより水中に溶けやすくすることができる。
【００４９】
図１のように、本体は主に酸素発生部と制御部とを備えており、酸素発生部は酸素発生器１４と、酸素発生に合せた圧縮機１７と、出力側の加湿ボトル９と、騒音を消去する消音器１５と、ボイスフィルタ１２と、消音器カバー１１とを備えており、制御部はメイン制御基板１６上のコントローラ２１と、流量調節つまみを有する酸素流量計５と、メイン制御基板で制御され酸素発生器の出口側から接続されている減圧弁２０と、パネルキーボード２２を有して送り込みと吐出の状態としての操作パネル４と、電源スイッチ７と、電源状態インジケータランプとを備えており、パネル上にはレーザ光出力ソケットがさらに設けられている。
【００５０】
本体の接続構造および治療終端部との接続ブロック図につき図８を参照されたい。図中から判るように、パネルキーボード２２はコマンドの送出側であり、メイン制御基板１６の入力インターフェイスにケーブルを介して接続されており、コントローラが駆動装置を介して酸素発生器１４および減圧弁２０の運転状態を制御しており、減圧弁２０は使用状態に応じて、霧化コマンドでは減圧せずに、酸素吐出接続口２３に直結され、そして酸素吐出のコマンドでは減圧弁２０が起動して減圧した後に酸素をオゾン発生室３６に送り込む。減圧弁２０とオゾン発生室３６との間には酸素濃度センサ３５が設けられており、オゾン発生室３６は本体の酸素吐出接続口２３に接続されており、酸素吐出接続口２３の前には酸素を吐出する吐出圧力センサ３７が設けられており、酸素吐出接続口２３は取外し可能な加湿ボトル９が接続されており、加湿ボトルから吐出された酸素は治療終端部の酸素供給パイプを介して鼻部クリップ酸素吸入ヘッド２６または酸素吸入装置２５に達する。操作パネル上の複数のレーザ光終端部インターフェイス８は同時に複数部位または複数者がレーザ光治療器により使用に供することができる。前記レーザ光治療器は独立した鼻腔照射用レーザ光照射器、つまり鼻部クリップレーザ光治療器２８、またはレーザ光・酸素一体型治療器の一部、および橈骨動脈または内手首を照射するレーザ光照射器、つまり腕帯式レーザ光治療器３０に分けることができる。
【００５１】
本発明の全体的な制御および調節として、コントローラはシステム全体に対して異なる電源環境を監視制御している。例えば使用者の使用中に高圧、低圧および電源切断の状況が発生した場合、制御システムは自動的に運転を停止し、安全率を高めると同時にコントローラは全体のレーザ光および酸素の制御に対して、使用者の操作パネルへの操作によりプログラムに基づいて運転を設定する。具体的の手順は図９に示すものを参照されたい。システムは操作パネル上の各ボタンを順次走査するとともに、対応するプログラムを実行する。レーザ光起動ボタンを押下するとレーザ光のオンまたはオフを制御するが、ここでのレーザ光起動ボタンはレーザ光のオンまたはオフを制御する論理スイッチであって、レーザ光のオンまたはオフの動作はコントローラによりコマンドが出力される。上記ではない場合には、レーザ光タイマボタンが押下されたかを検出し、レーザ光タイマボタンが押下されレーザ光タイマのカウントを起動または調整すると、同時にタイマが起動し、タイマプログラムによりタイマがタイムアップしてのレーザ光の出力オフを処理する。上記ではない場合には、レーザ光パワーボタンが押下されたかを検出し、レーザ光パワーボタンが押下されるとキーボードのコマンドにより制限された範囲内でレーザ光出力パワーを調整する。上記ではない場合には、酸素吐出ボタンが押下されたかを検出し、酸素吐出ボタンが押下されると圧縮機のオンまたはオフを制御するものであり、ここでの酸素吐出ボタンも酸素の吐出または停止を制御する論理スイッチであって、コントローラに制御信号を付与し、メイン制御基板により制御信号が送出される。上記ではない場合には、霧化機能ボタンが押下されたかを検出し、霧化機能ボタンが押下されると霧化機能のオンまたはオフを制御するが、とりわけ本発明特有の霧化機能は治療終端部で霧化機能装置付の酸素吸入装置を使用したとき、霧化機能は霧化機能装置内に収容可能な薬物を高圧で飛散させると同時に減圧する必要があるため、このときシステムでは本体内の減圧弁機能を停止して、高圧酸素を直接吐出するものであり、一方霧化ボタン回路には霧化識別装置が直列接続されることで、出力端での低圧酸素の吐出を保証している。続いてシステムがセンサの検出時間に達したかを走査し、センサの検出時間に達すると酸素センサおよび圧力センサを検出し、システムは検出センサのタイマ状態を使用状態のフィードバックとする。上記ではない場合には、電磁弁の作動時間に達したかを検出し、電磁弁の作動時間に達すると電磁弁の動作を制御する。上記ではない場合には、装置の累積運転時間に達したかを検出し、装置の累積運転時間に達すると、運転の合計設定時間に達して装置の運転を停止するまで、運転時間を加算するとともに保存する。その後、アラーム基準の有効性を検出し、アラーム基準の有効性によりブザーアラームおよびインジケータランプアラームを制御する。
【符号の説明】
【００５２】
１  本体筐体
２  操作パネルカバー
３  パネルシール
４  操作パネル
５  流量計
６  過電流保護装置
７  電源スイッチ
８  レーザ光終端部インターフェイス
９  加湿ボトル
１０  前部キャスタ
１１  消音器カバー
１２  ボイスフィルタ
１３  後部カバー
１４  酸素発生器
１５  消音器
１６  メイン制御基板
１７  圧縮機
１８  部材支持フレーム
１９  後部キャスタ
２０  減圧弁
２１  コントローラ
２２  パネルキーボード
２３  酸素吐出接続口
２４  霧化減圧装置
２５  酸素吸入装置
２６  鼻部クリップ酸素吸入ヘッド
２７  レーザ光・酸素一体型治療器
２８  鼻部クリップレーザ光治療器
２９  レーザ光発生器
３０  腕帯式レーザ光治療器
３１  一体型鼻部クリップ
３２  本体
３３  ジャケット
３４  治療終端部
３５  酸素濃度センサ
３６  オゾン発生室
３７  圧力センサ
３８  金属導電性バネ
３９  金属導電性リング
４０  霧化継ぎ手出口
４１  キースイッチ
４２  オゾン発生回路モジュール
４３  オゾン発生セラミック板
４４  オゾン発生室入口
４５  オゾン発生室出口
４６  霧化押しボタン
４７  キースイッチ
４８  オゾン吐出終端部
４９  エアーストーン
【図１】
0005540423.tif 000002
【図２】
0005540423.tif 000003
【図３】
0005540423.tif 000004
【図４】
0005540423.tif 000005
【図５】
0005540423.tif 000006
【図６】
0005540423.tif 000007
【図７】
0005540423.tif 000008
【図８】
0005540423.tif 000009
【図９】
0005540423.tif 000010